(57)【特許請求の範囲】
【請求項１】
基本記録単位が連続的に接している光記録媒体において、
欠陥領域のリストが登録された欠陥管理領域と、
欠陥領域が検出された場合に前記欠陥領域の直後に所定のリンキング体系に従って割り当てられたリンキング領域と、
前記欠陥領域の直後にリンキング領域が割り当てられるかどうかを示す付加情報が貯蔵された所定領域とを有する光記録媒体。
【請求項２】
前記付加情報は、リンキングが連続増加記録モードと制限的な重ね書き記録モードとのいずれかで発生するかどうかを示す第１タイプ情報、または、リンキングが前記欠陥領域の直後に発生したかどうかを示す第２タイプ情報よりなっていることを特徴とする請求項１に記載の光記録媒体。
【請求項３】
前記付加情報は、前記基本記録単位のうちの一つに貯蔵される請求項１に記載の光記録媒体。
【請求項４】
前記付加情報はデータ識別領域に貯蔵される請求項１に記載の光記録媒体。
【請求項５】
前記データ識別領域はセクター情報を含み、前記付加情報は、前記セクター情報領域の予備されているビットを用いて貯蔵されることを特徴とする請求項４に記載の光記録媒体。
【請求項６】
使用者データ記録時、前記欠陥領域が検出されたときに、光源の記録パワーが前記光記録媒体への記録に影響を与えないパワーに低められることを特徴とする請求項１に記載の光記録媒体。
【請求項７】
前記欠陥領域の直後に割り当てられたリンキング領域に２キロバイトが割当てられることを特徴とする請求項１に記載の光記録媒体。
【請求項８】
前記欠陥領域の直後に割り当てられたリンキング領域に３２キロバイトが割当てられることを特徴とする請求項１に記載の光記録媒体。
【請求項９】
使用者データを記録する前の検証時に、前記欠陥領域の直後に割り当てられたリンキング領域には、予めリンキングデータが記録されていることを特徴とする請求項１に記載の光記録媒体。
【請求項１０】
前記欠陥領域のある前記光記録媒体のセクター中に含まれたデータ識別領域をさらに含み、前記欠陥領域は、前記欠陥領域の直後に発生したリンキングであることを示すリンキングタイプ情報を貯蔵し、かつ前記リンキングデータが前記リンキング領域内に記録されることを示すデータタイプ情報を貯蔵することを特徴とする請求項９に記載の光記録媒体。
【請求項１１】
前記欠陥領域の直前の基本記録単位には、検証時にパディングデータが予め記録されていることを特徴とする請求項９に記載の光記録媒体。
【請求項１２】
前記リンキング領域は、前記光記録媒体がＤＶＤ−ＲＷ(Digital Versatile Disc-Rewritable)である場合の１回全面記録モード(write-at-once recording mode)、制限的重ね書き記録モード(Restricted overwrite recording mode)、連続増加記録モード(Incremental recording mode)の各々において割り当てられることを特徴とする請求項１に記載の光記録媒体。
【請求項１３】
基本記録単位が連続的に接している光記録媒体において、
検証時発見された欠陥領域の直後に割当てられた所定数のエラー訂正コード（ＥＣＣ）ブロックと、
前記欠陥領域のリストと前記欠陥領域の直後に割当てられた所定数のＥＣＣブロックに対する情報が登録された欠陥管理領域とを有し、
前記欠陥領域の直後の所定数のＥＣＣブロックに予め記録された基準信号をさらに含む光記録媒体において、
検証後に使用者データが記録された時、前記検出された欠陥領域の直後の所定数のＥＣＣブロックに基準信号が検出されれば、前記欠陥領域の直後の前記所定数のＥＣＣブロックに続いて使用者データの記録が再開されることを特徴とする光記録媒体。
【請求項１４】
基本記録単位が連続的に接している光記録媒体において、
欠陥領域のリストが登録された欠陥管理領域と、
欠陥領域が検出された場合に該欠陥領域の直後に所定のリンキング体系に従って割り当てられたリンキング領域とを有する光記録媒体。
【請求項１５】
使用者データ記録時、前記欠陥領域が検出されたときに、光源の記録パワーが前記光記録媒体への記録に影響を与えないパワーに低められることを特徴とする請求項１４に記載の光記録媒体。
【請求項１６】
前記欠陥領域の直後に割り当てられたリンキング領域に２キロバイトが割当てられることを特徴とする請求項１４に記載の光記録媒体。
【請求項１７】
前記欠陥領域の直後に割り当てられたリンキング領域に３２キロバイトが割当てられることを特徴とする請求項１４に記載の光記録媒体。
【請求項１８】
使用者データを記録する前の検証時に、前記欠陥領域の直後に割り当てられたリンキング領域には、予めリンキングデータが記録されていることを特徴とする請求項１４に記載の光記録媒体。
【請求項１９】
前記欠陥領域のある前記光記録媒体のセクター中に含まれたデータ識別領域をさらに含み、前記欠陥領域は、前記欠陥領域の直後に発生したリンキングであることを示すリンキングタイプ情報を貯蔵し、かつ前記リンキングデータが前記リンキング領域内に記録されることを示すデータタイプ情報を貯蔵することを特徴とする請求項１８に記載の光記録媒体。
【請求項２０】
前記欠陥領域の直前の基本記録単位には、検証時にパディングデータが予め記録されていることを特徴とする請求項１８に記載の光記録媒体。
【請求項２１】
前記リンキング領域は、前記光記録媒体がＤＶＤ−ＲＷ(Digital Versatile Disc-Rewritable)である場合の１回全面記録モード(write-at-once recording mode)、制限的重ね書き記録モード(Restricted overwrite recording mode)、連続増加記録モード(Incremental recording mode)の各々において割り当てられることを特徴とする請求項１４に記載の光記録媒体。
【発明の詳細な説明】
【０００１】
【発明の属する技術分野】
本発明は基本記録単位が連続的に接している光記録媒体分野に係り、特に欠陥領域の次にはリンキングが伴われることを示すリンキングタイプ情報を貯蔵する記録媒体とこの情報を用いた欠陥領域処理方法に関する。
【０００２】
【従来の技術】
ＤＶＤ−ＲＷ(Digital Versatile Disc Rewritable)の場合、基本記録単位がＤＶＤ−ＲＡＭ(Random Access Memory)のように物理的識別(Physical Identifier: PID)領域またはバッファフィールド(スピンドルモータの正確な制御に従う要求に対応するために割当てられた余裕領域)に区分されずに連続的につながっているので各基本単位の記録開始点を正確にする必要がある。ここで、DVD-RAMの基本記録単位はセクターになることができ、ＤＶＤ−ＲＷの基本記録単位はＥＣＣ(Error Correction Code)ブロックになりうる。
【０００３】
同じ物理的フォーマットを有しているＤＶＤ−Ｒ(Recordable)とＤＶＤ−ＲＷでは前述したように基本記録単位が連続的につながっているので連続増加記録の場合、即ち、データ伝送が瞬間的に切れたり新たなデータを以前データに継いで記録する場合、次の記録開始点のための余裕領域に所定数バイト（一例として３バイト）割り当てるリンキング体系を使用している。また、このような連続増加記録時に適用されるリンキング領域の大きさは２キロバイト（ＫＢ）と３２ＫＢの２種類がある。
【０００４】
しかし、ＤＶＤ−ＲＷの場合欠陥領域リストをＲＭＤ(Recording Management Data)領域に登録し、この欠陥領域リストに登録されている欠陥領域の次に実際使用者データを記録する場合、制限的な重ね書き記録モードは連続増加記録モードと同じくリンキングが必ず伴われるので現在ＤＶＤ−ＲＷ規格上には連続増加記録モード及び制限的重ね書き記録モードにだけリンキング体系が適用されているだけで欠陥領域の次に発生するリンキング体系に対しては定義されていない。
【０００５】
【発明が解決しようとする課題】
従って、本発明の目的は、基本記録単位が連続的に接している記録媒体において、欠陥領域の次に発生するリンキングを示すリンキングタイプ情報を貯蔵する記録媒体を提供することにある。
本発明の他の目的は、基本記録単位が連続的に接している記録媒体において、欠陥領域の次にはリンキング領域と同じ効果を有する所定数のエラー訂正コード（ＥＣＣ）ブロックが割当てられる記録媒体を提供することにある。
【０００６】
本発明のさらに他の目的は、記録時欠陥領域の次に発生するリンキングであることを示すリンキングタイプ情報に従って欠陥領域の次には所定のリンキング体系を適用した後使用者データを記録する欠陥領域処理方法を提供することにある。
本発明のさらに他の目的は、記録時欠陥領域とその次に連続する所定数のエラー訂正コード（ＥＣＣ）ブロック以後に使用者データを記録する欠陥領域処理方法を提供することにある。
【０００７】
【課題を解決するための手段】
前記の目的を達成するために、本発明の記録媒体は、複数の基本記録単位が連続的に接している記録媒体において、欠陥領域のリストが登録された欠陥管理領域と、所定のリンキング体系に従って前記欠陥領域の直後に割り当てられたリンキング領域と、欠陥領域の次には所定のリンキング体系が適用されるかどうかを示す付加情報が貯蔵された所定領域とを有することを特徴としている。
前記の目的を達成するために、本発明の記録媒体は、基本記録単位が連続的に接している記録媒体において、検証時発見された欠陥領域の次に割当てられた所定数のエラー訂正コード（ＥＣＣ）ブロックと、前記欠陥領域リストと前記欠陥領域の直後に割当てられた所定数のＥＣＣブロックに対する情報が登録された欠陥管理領域とを有することを特徴とする。
前記の目的を達成するために、本発明の記録媒体は、基本記録単位が連続的に接している記録媒体において、リンキングデータが前記記録媒体の欠陥領域の次に指定されるかどうかを示すリンキングタイプ情報を記録媒体に貯蔵する所定の領域を具備すること特徴とする。
【０００８】
また、本発明の記録媒体は、基本記録単位が連続的に接している記録媒体において、検証時発見された欠陥領域の次に割当てられた連続する一つ以上の所定数のエラー訂正コード（ＥＣＣ）ブロックと、欠陥領域に対するリストと欠陥領域の直後に割当てられた所定数のＥＣＣブロックに対する情報が登録された欠陥管理領域とを有することを特徴とする。
【０００９】
本発明の欠陥領域処理方法は、基本記録単位が連続的に接している記録媒体上の欠陥領域を処理する方法において、使用者データを記録する前または使用途中発生した欠陥領域を検出する段階と、欠陥領域のリストは欠陥管理領域に登録し、欠陥領域の次に所定のリンキング体系が適用されることを示す付加情報を所定領域に貯蔵する段階とを含むことを特徴とする。
【００１０】
また本発明の欠陥領域処理方法は、基本記録単位が連続的に接している記録媒体上の欠陥領域を処理する方法において、検証時発見された欠陥領域の次には連続する一つ以上の所定数エラー訂正コード（ＥＣＣ）ブロックを割り当てる段階と、欠陥領域に対するリストと前記欠陥領域の次の所定数のＥＣＣブロックに対する情報は欠陥管理領域に登録する段階とを含むことを特徴とする。
【００１１】
【発明の実施の形態】
以下、添付した図面を参照してリンキングタイプ情報を貯蔵する記録媒体と欠陥領域処理方法の望ましい実施例を説明する。
図１は、本発明の理解を助けるための一般的な連続増加記録モード時発生するリンキング体系を説明するための図面であって、旧データ、リンキング領域（３２ＫＢの場合）と新たなデータを示している。即ち、旧データ４が基本記録単位（図面ではＥＣＣブロック単位）を満たせきれずに記録が終われば、記録されない基本記録単位の残りの区間にはパディングデータ５をシンクマーク１以後の最初のセクターまで記録する。新たなデータ７を記録するために３２ＫＢに該当する連続増加記録のためのリンキング領域２にリンキングデータ６を記録した後再び新たな使用者データ７を記録している。
【００１２】
一方、訂正されないエラーのようにウォッブル信号、ＬＰＰ（Land Pre−Pit）信号のような基準信号が発生されない場合、即ち、大きい欠陥が複数のトラックにわたって存在すれば、このような欠陥領域をピックアップユニットが過ぎる場合全ての信号（ウォッブル信号、ＬＰＰ信号など）が全く発生しない。このようになれば連続記録が不可能になり、欠陥領域の次の領域から記録されるべきなので連続増加記録モードと同じモードになる。
【００１３】
付加的に、ＤＶＤ−ＲＷはグルーブトラックにデータが記録され、ランドトラックには物理的ＥＣＣブロック番号を示す情報がプリピット(pre-pit)で記録されており、これをＬＰＰ信号という。また、グルーブトラックは所定周波数でウォッブルされている。
【００１４】
従って、一般的な連続増加記録モードまたは制限的重ね書き記録モードでのみ定義されたリンキング体系が前述したように欠陥領域の次でも発生するので新たなリンキング体系の定義が必要になる。しかし、ＤＶＤ−ＲＷ規格には連続増加記録モードまたは制限的重ね書き記録モードの場合にだけリンキング体系が伴われることとだけ定義されているので、欠陥領域の次の領域で発生されるリンキング体系も定義されるべきである。
【００１５】
このような欠陥領域の次のリンキングは一般的な連続増加記録モードまたは制限的重ね書き記録モードでのリンキングタイプとは区別させる必要がある。即ち、一般的な連続増加記録モード及び制限的重ね書きモードでのリンキングは、一回に記録する１回記録分に該当するデータを記録した後記録動作を止め、再び新たなデータを記録する時発生する。このようなリンキングは１回全面記録モードでは規定されていない。
【００１６】
しかし、本発明で提案するリンキングは欠陥領域の次に示されることであって、まだ１回分に該当する記録が完全に遂行されない状態でも発生する。
図２は、本発明に係る欠陥領域処理方法の一例を説明するための図面である。検証時欠陥リストをＲＭＤ領域に登録した後欠陥領域の次にはリンキング領域が割当てられ、リンキング領域以後から使用者データを記録している。
【００１７】
このＲＭＤ領域には検証時発見された欠陥リストだけでなく記録媒体を使用しながら発生した欠陥リストも貯蔵されるので、本発明は使用者データを記録する前または使用途中発生した欠陥領域に対するリストをＲＭＤ領域に貯蔵すると同時に一例として欠陥領域（ＥＣＣブロックまたはセクターになりうる）に属するセクターの先頭に存在するデータ識別(Data Identifier:DID)領域に欠陥領域の次の領域にリンキングが伴われることを示すリンキングタイプ情報を貯蔵する。以後、実際使用者データ記録時欠陥領域の次の領域はリンキング体系を適用した後使用者データを記録する。ここで、リンキングタイプ情報を付加情報と呼ぶことができ、欠陥領域の次の領域にデータを記録時リンキングが伴われることを示すリンキングタイプ情報は基本記録単位内に貯蔵されることができる。
【００１８】
即ち、使用者データ４が記録される途中でＲＭＤリストに登録されている欠陥領域３を発見すれば、その欠陥領域３には使用者データを記録せずに飛ばす。この時、欠陥領域３に対してはレーザー素子のような光源から出射される光パワーを記録に影響を与えないパワー、例えば再生パワー以下に低める。欠陥領域３の次のリンキング領域８にはリンキングデータ９が満たされ、再び新たなデータ７を記録し始める。この欠陥領域３の次に発生するリンキング領域８の大きさは２ＫＢと３２ＫＢ全て使用できるが、２ＫＢを使用することがＲＴＲＷ(Real Time Read/Write)動作時有利な面がある。
【００１９】
一方、本発明で提案するリンキングは検証時欠陥領域検出を通じて分かるため、検出された欠陥領域の次に所定のリンキング体系（２ＫＢまたは３２ＫＢ）に従って予めリンキングデータを記録しておくことができる。この時、図３に示したようなＤＩＤ内のデータタイプ情報にはリンキングデータであることを示す情報を記録し、リンキングタイプ情報には欠陥領域の次に発生するリンキングであることを示す情報を記録する。
【００２０】
欠陥領域直前の使用者領域で使用者データが基本記録単位を満たせきれない場合には残りの区間中ではパディングデータ（一例として００ｈ）を記録するため、予めパディングデータを欠陥領域直前の基本記録単位領域に記録しておくことができる。このパディングデータ区間は実際使用者データを記録時重ね書きされることができる。
【００２１】
このようにすれば検証後使用者データを記録する場合欠陥領域の次には予めリンキングデータが記録されているため、リンキング領域に継いで使用者データを記録することができる。従って、リンキングデータを記録するのにかかる時間を縮め、欠陥領域とリンキング領域の次にすぐ使用者データを記録するためリアルタイム記録に有利である。
【００２２】
図３は、本発明に係るリンキングタイプ情報がセクター単位で４バイトに割当てられたＤＩＤ領域内に貯蔵される一例を示し、データ識別情報はセクター情報とセクター番号よりなり、セクター情報にはセクターフォーマットタイプ、トラッキング方法、反射率、リンキングタイプ、領域タイプ、データタイプ、レイヤー番号がある。
【００２３】
即ち、ビット位置ｂ３１のセクターフォーマットタイプ情報は下記のようにＣＬＶ(Constant Linear Velocity)かまたはＺＣＬＶ(Zone Constant Linear Velocity)かを示している。
０b: CLV format type
１b: Zoned format type、specified for Rewritable discs
【００２４】
ビット位置ｂ３０のトラッキング方法情報は下記のようにピットトラッキングかまたはグルーブトラッキングかを示している。
０b: Pit tracking
１b: Groove tracking、specified for Rewritable discs
ビット位置ｂ２９の反射率情報は下記のように反射率が４０%を超過するかまたはその以下かを示している。
０b: If the reflectivity is greater than４０%
１b: If there flectivity is less than or equal to４０%
【００２５】
ビット位置ｂ２７とｂ２６の領域タイプ情報は下記のようにデータ領域、リードイン(lead-in)領域、リードアウト(lead-out)領域かまたは読出し専用ディスクのための中央領域かを示している。
００b: In the data area
０１b: In the Lead-in area
１０b: In the Lead-out area
１１b: In the middle area of read-only discs
【００２６】
ビット位置ｂ２５のデータタイプ情報は下記のように読出専用データかまたはリンキングデータかを示している。
０b: Read-only data
１b: Linking data
ビット位置ｂ２４のレイヤー番号情報は下記のように断面ディスクまたは両面ディスクでのレイヤー番号を示している。
０b: Layer０of dual layer discs or single layer discs
１b: Layer１of dual layer discs
【００２７】
本発明ではセクター情報領域内に既存には予備されていたビットｂ２８を用いてリンキングタイプ情報を下記のように定義してさらに記録する。
０b: Linking for incremental recording
１b: Linking after defective area
【００２８】
即ち、リンキングタイプ情報が２進数で“０”であれば連続増加記録のためのリンキングで、“１”であれば欠陥領域の次のリンキングであることを示す。ここで、連続増加記録モードまたは制限的重ね書き記録モードで発生するリンキングタイプを第１リンキングタイプ(tpye I)とし、欠陥領域の次に発生するリンキングタイプを第２リンキングタイプ(type II)と命名できる。
【００２９】
従って、一般的なリンキングタイプと本発明のリンキングタイプは区別され、このような欠陥領域の次のリンキングを示す情報をリンキングがおきるセクターのＤＩＤ内に含めれば、そのセクターでリンキングがおきる場合、そのリンキングが連続増加記録または制限的重ね書き記録時発生したリンキングか、でなければ欠陥領域の次に発生したリンキングかが分かる。また、リンキングタイプ情報により一回に記録されるデータが連続的か、でなければ欠陥領域により分けられているかに対する情報も分かるので、ドライブではこのようなリンキングタイプ情報を高速データ処理に活用できる。
【００３０】
本発明で提案する欠陥領域により伴われるリンキング体系はＤＶＤ−ＲＷの全ての記録モード、即ち、１回全面記録モード、制限的重ね書き記録モード、連続増加記録モードの全てに適用されうる。
図４は本発明に係る欠陥領域処理方法の他の例を説明するための図面であって、参照符号１１は旧データが記録された使用者データ領域で、１２は欠陥ＥＣＣブロックで、１３は欠陥ＥＣＣブロックの次にリンキング領域と同じ効果のために割当てられる所定数のＥＣＣブロックで、１４は新たなデータが記録される使用者データ領域である。
【００３１】
本発明では検証時検出された欠陥領域の次に割当てられた１ＥＣＣブロック（３２ＫＢ）以上の領域を用いてリンキング体系を使用しなくても新たなデータの記録が再開される使用者データ領域を探索することができる。この時、欠陥領域の次の所定数のＥＣＣブロックはＲＭＤ領域に登録することもでき、予め決まった規則に従って欠陥領域の次には常に所定数のＥＣＣブロック以後に使用者データ領域が位置するということを定義することもできる。
【００３２】
また、欠陥領域の次の所定数のＥＣＣブロック領域には高速探索のために予めリンキングデータ役割をするデータを記録しておくこともでき、所定のパターンを有する記録マークで記録しておくこともできる。これをテスト信号と呼ぶ。
検証後実際使用者データ記録時、信号が検出されない欠陥領域に会った後基準信号が検出されるかどうかを判断して基準信号が検出されれば、欠陥領域以後にリンキング領域と同じ効果を有するために割当てられたＥＣＣブロックであることを認識する。以後、欠陥領域の次の所定数のＥＣＣブロック以後の次の領域から残りの新たなデータを記録すればリアルタイム記録に有利である。基準信号はグルーブトラックはウォッブルされているのでウォッブル信号になる場合もあり、テスト信号になる場合もある。
【００３３】
【発明の効果】
前述したように、本発明は連続増加記録または制限的重ね書き記録時発生するリンキング以外に欠陥領域の次に発生するリンキングを示すリンキングタイプ情報を用いて記録媒体上に大きい欠陥が発生して記録／再生に必要な基準信号が発生しなくても、欠陥領域の次の領域にリンキング体系を適用した後使用者データの記録を再開することによって使用者データの信頼性を高めることができ、より信頼性の高い再生を遂行することができる。
【００３４】
また、本発明は検証時発見された欠陥領域の次の所定数のＥＣＣブロックに予めリンキングデータと同じ効果を有するテスト信号が記録されているため、検証後使用者データを記録する場合テスト信号またはグルーブトラックのウォッブル信号を用いて欠陥領域と所定数のＥＣＣブロックの次にすぐ継いで使用者データを記録するためリアルタイム記録に有利な長所がある。
【図面の簡単な説明】
【図１】  一般的な連続増加記録モード時に発生するリンキング体系を説明するための図面である。
【図２】  本発明に係る欠陥領域処理方法の一例を説明するための図面である。
【図３】  本発明に係るリンキングタイプ情報が貯蔵される一例のデータ識別ＤＩＤ領域の構造を示す図面である。
【図４】  本発明に係る欠陥領域処理方法の他の例を説明するための図面である。
【符号の説明】
１  シンクマーク
３  欠陥領域
４  使用者データ
７  新たなデータ
８  リンキング領域
９  リンキングデータ
１１  旧データが記録された使用者データ領域
１２  欠陥ＥＣＣブロック
１３  所定数のＥＣＣブロック
１４  新たなデータが記録される使用者データ領域
【図１】
0003868712.tif 000002
【図２】
0003868712.tif 000003
【図３】
0003868712.tif 000004
【図４】
0003868712.tif 000005